(57)【要約】      （修正有）【課題】掲示物の交換の際、フレームを取り外すなど手間を省き、簡単に交換し美しく掲示する屋外使用可能な掲示板を提供する。【解決手段】掲示板表面のカバー板３を蝶番４等で接続することにより、掲示板正面から扉を開けるように開閉できるようにしたことで掲示物を簡単に交換できるようにした。掲示物に接する面を平らにし、磁石、ボルト、バネ式押さえ具等の係止具５で吸引密着させることで美しく掲示できるようにした。また、ひさし１５、ピンロック１４、錠１７、変形防止縁１６を配設することで屋外での使用を可能にした。【選択図】図７
0003178036.tif 000002
【実用新案登録請求の範囲】
【請求項１】
ベース板、ベース板を収納する外枠、一辺にて蝶番等により外枠に接続されたカバー板、ベース板とカバー板を吸引密着させる係止手段により構成された屋外使用可能な簡単に美しく掲示できる掲示板。
【請求項２】
請求項１における蝶番は一片はカバー板に固着、蝶番の他片はベース板の貫通孔に挿通し、掲示板裏側で外枠に着脱可能に固着される請求項1に記載の掲示板。
【請求項３】
外枠に雨避けの樹脂または金属のひさしを取り付けた請求項1に記載の掲示板。
【請求項４】
外枠外周から掲示面まで貫く孔を開けピンロックまたは錠を一箇所または数箇所取付けることによりいたずらなどの開閉を防止する措置を施した請求項1に記載の掲示板。
【請求項５】
カバー板は素材の特性によっては高温時変形の恐れがある。これを防ぐため、カバー板周囲全辺又は数辺にカバー板と同種素材または金属による縁を取り付け変形防止措置を施した請求項1に記載の掲示板。
【請求項６】
ベース板はアクリルなどの透明な素材を用いた際には、両面掲示可能とする請求項1に記載の掲示板。
【考案の詳細な説明】
【技術分野】
【０００１】
本考案は、ベース板、ベース板を収納する外枠、蝶番等により外枠に接続されたカバー板からなり正面からドアを開けるように掲示物の交換ができ、画びょう、磁石等を用いずにポスターを掲示できる掲示板に関する。
【背景技術】
【０００２】
一般に店頭、店内などでイーゼルなどに立てかけたり、壁に設置した屋内用ポスターパネルをよく見るが、これらは概ね掲示物の交換に際して、ポスターパネルを設置場所から別の場所に移して枠を分解するなどして取り替える必要があり、非常に手間が掛かっている。
屋外でよく見る引戸等の付いた大型掲示板は掲示物の交換は容易であるが、掲示物を画びょうやマグネットを用いて張り出している。
通常の掲示板は掲示面裏の基板に不透明の素材を用い、裏側を使用することはできない。
特許文献１、特許文献２においては、掲示板がＶ形に開き横から掲示物の交換をする。
特許文献３においては、蝶番を用い掲示物交換を容易にし、防水措置を施してあるが掲示物と掲示面は密着しない。
また特許文献４に於いては、蝶番を用い掲示物の交換を容易にした額縁であるが、防水措置は施されていない。
【先行技術文献】
【特許文献】
【０００３】
【特許文献１】特開平１１−２４９６１１
【特許文献２】特開２００７−３２８２４４
【特許文献３】特開２００９−８７７１
【特許文献４】実登３０７９６５３
【考案の概要】
【考案が解決しようとする課題】
【０００４】
通常のポスターパネルはポスター表面を覆うカバー面とポスター裏面に接するベース面とフレームがバラバラに分離されるために、掲示場所での掲示物の交換に手間がかかった。
また、屋外型の奥行きのある掲示板は、掲示物と扉との間にスペースがあり、掲示物を磁石や画びょうで留めて張り出しているが、日光や湿気等の気象条件などにより掲示物にしわが寄ったり撓んだりすることが多く見られた。
掲示に際しては概ね、画びょうやマグネットを必要としている。
通常の掲示板はベース板に不透明な素材を使用しているために両面掲示できなかった。
Ｖ開き掲示板は横からの掲示物交換のため、大きい掲示物のときは交換がむずかしい。
また、蝶番を用いるなどして掲示物の交換を容易にした物は、掲示面中央部に掲示物との間に隙間があり、掲示物が掲示枠より小さい場合きれいに留められないなどの問題点があった。
通常のポスターパネルは美しく掲示できるが防水措置が施されてなかったり、設置方法が簡易であるため屋外での使用に適さない。
【課題を解決するための手段】
【０００５】
ベース板（２）、ベース板を収納した外枠（１）、カバー板（３）を一辺にて蝶番（４）等により外枠（１）に接続し、掲示場所でドアを開けるように掲示物の交換を可能とする。図１
ベース板（２）とカバー板（３）を係止手段（５）により吸引密着させ掲示物との間に隙間を作らないことで画びょうや磁石を用いず掲示ができ、かつ、しわ、撓みを防ぐ。
屋外で使用するために雨避けのひさし（１５）、いたずら防止のためのピンロック（１４）または錠（１７）、変形防止縁（１６）を配設する。
ベース板（２）にアクリルなどの透明な素材を用いることで両面掲示を可能とする。
【考案の効果】
【０００６】
本考案の簡単に美しく掲示できる掲示板によれば、カバー板（３）のみを正面から開閉できるため、掲示物の交換が非常に簡単にできる。
また、掲示物を密着して挟み込むため、掲示物がゆがまない。
さらに掲示に際して磁石や画びょう等を要しない。
ひさし（１５）を設けることで軽量薄型にもかかわらず、屋外で使用できる。
ピンロック（１４）、またその孔を利用した錠によりいたずらなどによる開閉を防止できる。
変形防止縁（１６）を取付けることでカバー板（３）の変形を防止できる。
ベース板（２）を透明な素材を用いることにより、両面掲示も可能である。
【考案を実施するための最良の形態】
【０００７】
本考案の実施形態は外枠（１）、ベース板（２）、カバー板（３）、蝶番（４）、吸引密着の係止具（５）を必須とし、係止具の形態やひさし（１５）、ピンロック（１４）、錠（１７）、変形防止縁（１６）は実施条件により使用、取付の組み合わせや数は自在とする。
なお、本件考案はこれら実施形態になんら限定されるべきものではなく、その要旨を逸脱しない範囲において、様々なる態様で実施し得る。
【０００８】
以下に添付図面を用いて実施例を説明する。
実施例１  基本構成  図２
本件考案はベース板（２）とベース板を収納した外枠（１）、一辺にて蝶番（４）等により外枠に接続されたカバー板（３）、ベース板とカバー板を吸引密着させるための係止手段（５）を基本構成とする。図２
また、蝶番（４）の一片はカバー板（３）に固着し、他片はベース板（２）の差込み孔（１２）に挿通し、ベース板（２）裏側にて外枠（１）に着脱可能に固着される。図６
本実施例では係止手段に磁石（６）を用い、ベース板（２）とカバー板（３）に磁石（６）の形状に合わせた溝を掘り、磁石（６）を埋設することで密着吸引させる。図３
実施例２  実施例１の吸引密着の係止手段にボルト（７）を用いた例  図２、図４
図４のようにベース板（２）とカバー板（３）に貫通孔（９）を開け、ベース板（２）裏側とカバー板（３）表面の両方またはベース板（２）裏側のみにナット（８）を固着し、ボルト（７）を螺入しベース板（２）とカバー板（３）を密着させる。
実施例３  実施例１の吸引密着の係止手段にバネ式押え具（１０）を用いた例  図２、図５
吸引密着の係止手段としてバネ式押え具（１０）を外枠（１）に取付けるかベース板（２）に取付けるかして、カバー板（３）を舌片押圧しベース板（２）とカバー板（３）を密着させた例。
実施例５  雨避けひさし（１５）の配設例  図７、図８。
外枠（１）に雨避けにひさし（１５）を配設例。
実施例６  ピンロック（１４）、錠（１７）の配設例  図７、図８。
いたずら防止、防犯に外枠（１）外周から掲示面までの貫通孔（９）にピンロック（１４）または錠（１７）を配設。
実施例７  変形防止縁（１６）配設例  図７、図９。
カバー板（３）の周囲全辺または数辺に変形防止の樹脂または金属を配設。
実施例８  両面掲示
ベース板（２）、カバー板（３）にアクリルなどの透明なものを使用し、両面掲示可能とする。
【図面の簡単な説明】
【０００９】
【図１】掲示物交換イメージ図
【図２】掲示板の基本構成配設例
【図３】密着係止具に磁石使用の埋設断面図
【図４】密着係止具にボルトを用い螺着した例
【図５】密着係止具にバネを使用し舌片押圧した例
【図６】蝶番の固着方法図
【図７】基本構成にピンロック、錠、ひさし、変形防止縁を配設した例
【図８】ベース板、カバー板、ひさし、ピンロック（または錠）の配置側断面図
【図９】変形防止縁のカバー板への取付例
【符号の説明】
【００１０】
1      外枠
２     ベース板
３     カバー板
４     蝶番
５     吸引密着係止具
６     磁石
７     ボルト
８     ナット
９     貫通孔
１０   バネ式押さえ具
１１   ボルトねじ
１２   差し込み孔
１３   蝶番固定具
１４   ピンロック
１５   ひさし
１６   変形防止縁
１７   錠
【図１】
0003178036.tif 000003
【図２】
0003178036.tif 000004
【図３】
0003178036.tif 000005
【図４】
0003178036.tif 000006
【図５】
0003178036.tif 000007
【図６】
0003178036.tif 000008
【図７】
0003178036.tif 000009
【図８】
0003178036.tif 000010
【図９】
0003178036.tif 000011